【手続補正書】
【提出日】平成28年3月14日(2016.3.14)
【手続補正１】
【補正対象書類名】特許請求の範囲
【補正対象項目名】全文
【補正方法】変更
【補正の内容】
【特許請求の範囲】
【請求項１】
撮像装置に接続可能であり少なくとも１つの他の発光装置に発光命令を送信する発光制御装置と、他の装置からの発光命令に応じて発光する少なくとも１つの被制御発光装置とが無線で通信する発光システムであって、
前記被制御発光装置は、
前記発光制御装置に、自身の充電状態に関する充電情報を無線で送信する第１の送信手段を有し、
前記発光制御装置は、
前記被制御発光装置から前記充電情報を受信する受信手段と、
前記撮像装置に対し、充電の完了を通知する通知手段と、
前記被制御発光装置による前記充電情報の送信を停止させるための信号を送信する第２の送信手段と、
撮像指示に基づき、前記被制御発光装置に発光を行わせるための発光命令を送信する第３の送信手段とを有し、
前記受信手段により、前記発光制御装置と通信しているすべての被制御発光装置から充電が完了したことを示す充電情報を受信した場合、前記通知手段による通知を行うとともに、前記第２の送信手段により前記充電情報の送信を停止させる信号を送信することを特徴とする発光システム。
【請求項２】
撮像装置に接続可能であって、発光命令に応じて発光する少なくとも１つの被制御発光装置と無線で通信する発光制御装置であって、
前記被制御発光装置から、前記被制御発光装置の充電状態に関する充電情報を受信する受信手段と、
前記被制御発光装置による前記充電情報の送信を停止させるための信号を送信する第１の送信手段と、
撮像指示に基づき、前記被制御発光装置に発光を行わせるための発光命令を送信する第２の送信手段とを有し、
前記受信手段により、少なくとも前記発光制御装置と通信しているすべての被制御発光装置から充電が完了したことを示す充電情報を受信した場合、前記第１の送信手段により前記充電情報の送信を停止させる信号を送信することを特徴とする発光制御装置。
【請求項３】
充電の完了を通知する通知手段をさらに有し、
前記受信手段により、少なくともすべての被制御発光装置から充電が完了したことを示す充電情報を受信した場合、前記通知手段による通知を行うことを特徴とする請求項２に記載の発光制御装置。
【請求項４】
前記被制御発光装置に対して前記充電情報の送信を開始させる指示を送信する第３の送信手段をさらに有することを特徴とする請求項２または３に記載の発光制御装置。
【請求項５】
前記発光制御装置と通信している被制御発光装置の通信状態を検知する検知手段をさらに有し、
前記第１の送信手段による信号の送信後に、前記通信状態の所定の変化を検知した場合、前記第３の送信手段は、前記被制御発光装置に対して充電情報の送信を再開させる指示を送信することを特徴とする請求項４に記載の発光制御装置。
【請求項６】
発光手段をさらに有することを特徴とする請求項２乃至５のいずれか１項に記載の発光制御装置。
【請求項７】
前記発光手段の充電状態を判断する判断手段をさらに有し、
前記通知手段は、前記受信手段により前記発光制御装置と通信しているすべての被制御発光装置から充電が完了したことを示す充電情報を受信し、かつ前記判断手段により前記発光手段の充電が完了したと判断した場合に前記通知を行うことを特徴とする請求項６に記載の発光制御装置。
【請求項８】
前記第２の送信手段は、前記撮像指示があった場合は、少なくともすべての被制御発光装置から充電が完了したことを示す充電情報を受信する前であっても、前記発光命令を送信することを特徴とする請求項２乃至７のいずれか１項に記載の発光制御装置。
【請求項９】
少なくとも前記発光制御装置と通信しているすべての被制御発光装置から充電が完了したことを示す充電情報を受信する前に前記撮像指示があった場合、前記通知手段は所定の通知を行うことを特徴とする請求項３乃至８のいずれか１項に記載の発光制御装置。
【請求項１０】
前記発光制御装置は、前記撮像装置のアクセサリシューに取り付け可能であることを特徴とする請求項２乃至９のいずれか１項に記載の発光制御装置。
【請求項１１】
前記撮像指示は、前記被制御発光装置の操作に基づくものであることを特徴とする請求項２乃至１０のいずれか１項に記載の発光制御装置。
【請求項１２】
前記被制御発光装置との通信は、無線ＬＡＮに基づく通信であることを特徴とする請求項２乃至１１のいずれか１項に記載の発光制御装置。
【請求項１３】
前記被制御発光装置との通信は、Ｂｌｕｅｔｏｏｔｈ（登録商標）に基づく通信であることを特徴とする請求項２乃至１１のいずれか１項に記載の発光制御装置。
【請求項１４】
前記被制御発光装置との通信は、Ｚｉｇｂｅｅ（登録商標）に基づく通信であることを特徴とする請求項２乃至１１のいずれか１項に記載の発光制御装置。
【請求項１５】
前記被制御発光装置との通信は、Ｚｉｇｂｅｅ（登録商標）で用いる周波数帯を用いた通信であることを特徴とする請求項２乃至１１のいずれか１項に記載の発光制御装置。
【請求項１６】
前記発光制御装置は、さらに他の発光制御装置と通信可能であって、
前記受信手段は、前記被制御発光装置から前記被制御発光装置の充電情報を受信するとともに、前記他の発光制御装置からも前記被制御発光装置の充電情報を受信し、
前記受信手段により、少なくとも前記発光制御装置と通信しているすべての被制御発光装置から充電が完了したことを示す充電情報を受信し、かつ前記他の発光制御装置からも、少なくともすべての被制御発光装置から充電が完了したことを示す充電情報を受信した場合に、前記第１の送信手段により前記充電情報の送信を停止させる信号を送信することを特徴とする請求項２乃至１５のいずれか１項に記載の発光制御装置。
【請求項１７】
撮像装置に接続可能であり、少なくとも１つの被制御装置に動作命令を送信する制御装置と、他の装置からの動作命令に応じて所定の動作を実行する少なくとも１つの被制御装置とが無線で通信する通信システムであって、
前記被制御装置は、
前記制御装置に、自身のステータスに関するステータス情報を無線で送信する第１の送信手段を有し、
前記制御装置は、
前記被制御装置から前記ステータス情報を受信する受信手段と、
前記撮像装置に対し、動作準備の完了を通知する通知手段と、
前記被制御装置による前記ステータス情報の送信を停止させるための信号を送信する第２の送信手段と、
撮像指示に基づき、前記被制御装置を動作させるための動作命令を送信する第３の送信手段とを有し、
前記受信手段により、前記制御装置と通信しているすべての被制御装置から動作準備が完了したことを示すステータス情報を受信した場合、前記通知手段による通知を行うとともに、前記第２の送信手段により前記ステータス情報の送信を停止させる信号を送信することを特徴とする通信システム。
【請求項１８】
撮像装置に接続可能であって、発光命令に応じて発光する少なくとも１つの被制御発光装置と無線で通信する発光制御装置を制御する方法であって、
前記被制御発光装置から、前記被制御発光装置の充電状態に関する充電情報を受信する受信工程と、
前記被制御発光装置による前記充電情報の送信を停止させるための信号を送信する第１の送信工程と、
撮像指示に基づき、前記被制御発光装置に発光を行わせるための発光命令を送信する第２の送信工程とを有し、
前記受信工程において、少なくとも前記発光制御装置と通信しているすべての被制御発光装置から充電が完了したことを示す充電情報を受信した場合、前記第１の送信工程において前記充電情報の送信を停止させる信号を送信することを特徴とする発光制御装置の制御方法。
【請求項１９】
コンピュータを、請求項２乃至１６のいずれか１項に記載の発光制御装置の各手段として機能させるためのコンピュータが読み取り可能なプログラム。
【請求項２０】
コンピュータを、請求項２乃至１６のいずれか１項に記載の発光制御装置の各手段として機能させるためのプログラムを記憶したコンピュータが読み取り可能な記憶媒体。
【請求項２１】
撮像装置に接続可能であり、少なくとも１つの被制御装置に動作命令を送信する制御装置と、他の装置からの動作命令に応じて所定の動作を実行する少なくとも１つの被制御装置とが無線で通信する通信システムの制御方法であって、
前記被制御装置が、前記制御装置に、自身のステータスに関するステータス情報を無線で送信する第１の送信工程と、
前記制御装置が、前記被制御装置から前記ステータス情報を受信する受信工程と、
前記制御装置が、前記撮像装置に対し、動作準備の完了を通知する通知工程と、
前記制御装置が、前記被制御装置による前記ステータス情報の送信を停止させるための信号を送信する第２の送信工程と、
前記制御装置が、撮像指示に基づき、前記被制御装置を動作させるための動作命令を送信する第３の送信工程とを有し、
前記受信工程において、前記制御装置が該制御装置と通信しているすべての被制御装置から動作準備が完了したことを示すステータス情報を受信した場合、前記通知工程による通知を行うとともに、前記第２の送信工程により前記ステータス情報の送信を停止させる信号を送信することを特徴とする通信システムの制御方法。
【請求項２２】
コンピュータを、請求項１７に記載の通信システムの各手段として機能させるためのコンピュータが読み取り可能なプログラム。
【請求項２３】
コンピュータを、請求項１７に記載の通信システムの各手段として機能させるためのプログラムを記憶したコンピュータが読み取り可能な記憶媒体。
【手続補正２】
【補正対象書類名】明細書
【補正対象項目名】０００５
【補正方法】変更
【補正の内容】
【０００５】
本発明に係わる発光システムは、撮像装置に接続可能であり少なくとも１つの他の発光装置に発光命令を送信する発光制御装置と、他の装置からの発光命令に応じて発光する少なくとも１つの被制御発光装置とが無線で通信する発光システムであって、前記被制御発光装置は、前記発光制御装置に、自身の充電状態に関する充電情報を無線で送信する第１の送信手段を有し、前記発光制御装置は、前記被制御発光装置から前記充電情報を受信する受信手段と、前記撮像装置に対し、充電の完了を通知する通知手段と、前記被制御発光装置による前記充電情報の送信を停止させるための信号を送信する第２の送信手段と、撮像指示に基づき、前記被制御発光装置に発光を行わせるための発光命令を送信する第３の送信手段とを有し、前記受信手段により、前記発光制御装置と通信しているすべての被制御発光装置から充電が完了したことを示す充電情報を受信した場合、前記通知手段による通知を行うとともに、前記第２の送信手段により前記充電情報の送信を停止させる信号を送信することを特徴とする。